(57)【要約】【課題】係止金具をシーソー状に形成することにより３つの磁石を同時に当てることのみで解除でき、また解除用鉄片や引抜用鉄片を設けることにより、磁石にて閉回路を形成できる防犯効果の高い防犯ケース並びに解錠装置を提供する。【解決手段】信号記録ソフトを包装した商品ケースを出し入れする挿入口及び商品ケースの下部前面を係止する下部係止板を設けてなるケース本体の上部に、商品ケースの上部前面を係止する上部係止板を設けた側方に移動可能な係止体を設けてあり、この係止体にはケース本体に設けてある係止溝に係止する係止金具を設けてあり、係止金具の前部及び後部上方に同時に磁石を近づけることにより、係止金具の先端が係止溝から外れるべく、係止金具をシーソー状に形成してなることを特徴とする。【選択図】  図１
2004359338.tif 000002
【特許請求の範囲】
【請求項１】
信号記録ソフトを包装した商品ケースを出し入れする挿入口及び商品ケースの下部前面を係止する下部係止板を設けてなるケース本体の上部に、商品ケースの上部前面を係止する上部係止板を設けた側方に移動可能な係止体を設けてあり、この係止体にはケース本体に設けてある係止溝に係止する係止金具を設けてあり、係止金具の前部及び後部上方に同時に磁石を近づけることにより、係止金具の先端が係止溝から外れるべく、係止金具をシーソー状に形成してなることを特徴とする防犯ケース。
【請求項２】
係止体内に、係止金具の先端部を常時上方に押し上げておくべくバネ片を設けてなることを特徴とする請求項１記載の防犯ケース。
【請求項３】
係止金具の先端部に垂直片を設けると共に、垂直片に対応する垂直面を形成し、引き抜きを防止してなることを特徴とする請求項１又は２記載の防犯ケース。
【請求項４】
係止体内に、係止金具の先端を引き付けるための解除用鉄片を設けてなることを特徴とする請求項１、２又は３記載の防犯ケース。
【請求項５】
係止体内に、係止体を引き抜くための引抜用鉄片を設けてなることを特徴とする請求項１、２、３又は４記載の防犯ケース。
【請求項６】
係止金具の前方両側下方及び係止金具の後方上部に同時に磁石を近づけるべく、３つの磁石を配設してなることを特徴とする請求項１、２又は３に対応する解錠装置。
【請求項７】
係止金具の前方及び後方上部に同時に近づけるべく、Ｌ字型鉄板の両側両端部に磁石を設け、閉回路を形成してなることを特徴とする請求項４又は５に対応する解錠装置。
【発明の詳細な説明】
【０００１】
【発明の属する技術分野】
本発明は、音楽ＣＤやＤＶＤ（映像）を包装した商品ケースを出し入れ自在に形成した防犯機能を有する防犯ケース並びに解錠装置に関するものである。
【０００２】
【従来の技術】
従来の技術としては、着脱自在に嵌合される内ケースと外ケースを備えた商品展示ケースにおいて、外ケースから内ケースの内嵌壁を施錠する装置であり、内ケースの内嵌壁に形成したロック孔と、外ケースに設けられ前記ロック孔を貫通する方向のＸ軸方向に進退自在な主ロック片と、外ケースに設けられ前記Ｘ軸に交差するＹ軸方向に進退自在な補助ロック片とを設け、前記主ロック片は、Ｘ軸方向からロック孔に進入する施錠突起と、該施錠突起を常時進入方向に付勢する弾発手段と、外ケースの外側でＸ軸上に磁石を配置したとき前記弾発手段に抗して施錠突起をロック孔から後退せしめる磁着手段とを備え、前記補助ロック片は、Ｙ軸方向に進出して主ロック片の被係止部に係止することにより施錠突起の後退を阻止する係止手段と、外ケースの外側でＹ軸上に磁石を配置したとき前記係止手段を被係止部から後退せしめる磁着手段とを備えて成ることを特徴とする商品展示ケースの施錠装置がある。（特許文献１参照）
【０００３】
【特許文献１】
特開２００１−７２１７１号公報（請求項１、図３）
【０００４】
【発明が解決しようとする課題】
しかしながら、上記のような形態は、Ｘ軸方向の第一磁石手段とＹ軸方向の第二磁石手段により施錠解除を可能とした施錠装置の点に特徴があるものであるが、実際にはＸ軸・Ｙ軸の４５°方向から１つの磁石を近づけるだけで補助ロック片が外れ、そのまま磁石を上面に移動させるだけで主ロック片を上方に移動させることができロック解除できてしまう。
つまり、１つの磁石があれば簡単に解除されてしまうという問題点がある。
本発明は、上記の問題点に鑑みなされたもので、その目的は、係止金具をシーソー状に形成することにより３つの磁石を同時に当てることのみで解除でき、また解除用鉄片や引抜用鉄片を設けることにより、磁石にて閉回路を形成できる防犯効果の高い防犯ケース並びに解錠装置を提供することである。
【０００５】
【課題を解決するための手段】
上記課題を解決するための手段として、信号記録ソフトを包装した商品ケースを出し入れする挿入口及び商品ケースの下部前面を係止する下部係止板を設けてなるケース本体の上部に、商品ケースの上部前面を係止する上部係止板を設けた側方に移動可能な係止体を設けてあり、この係止体にはケース本体に設けてある係止溝に係止する係止金具を設けてあり、係止金具の前部及び後部上方に同時に磁石を近づけることにより、係止金具の先端が係止溝から外れるべく、係止金具をシーソー状に形成してなること。また、係止体内に、係止金具の先端部を常時上方に押し上げておくべくバネ片を設けてなること。係止金具の先端部に垂直片を設けると共に、垂直片に対応する垂直面を形成し、引き抜きを防止してなること。さらに、係止体内に、係止金具の先端を引き付けるための解除用鉄片を設けてなること。係止体内に、係止体を引き抜くための引抜用鉄片を設けてなることを特徴とする防犯ケース。その上、係止金具の前方両側下方及び係止金具の後方上部に同時に磁石を近づけるべく、３つの磁石を配設してなること。係止金具の前方及び後方上部に同時に近づけるべく、Ｌ字型鉄板の両側両端部に磁石を設け、閉回路を形成してなることを特徴とする解錠装置。
【０００６】
【発明の実施の形態】
以下、本発明の防犯ケース並びに解錠装置を図面に基づいて詳細に説明する。
防犯ケース１は、信号記録ソフトを包装した商品ケース（図示せず）を出し入れする挿入口及び商品ケースの下部前面を係止する下部係止板２ａを設けると共に、上部下面に係止溝２ｂを設け、上面側端面に切り欠き部２ｃを設けたケース本体２に、商品ケースの上部前面を係止する上部係止板３ａを設けた側方に移動可能な係止体３を設けてなるものである。
この係止体３は、内部に上記ケース本体２の係止溝２ｂに係止する先端３ｂ１をやや上方向に折曲し、その後部に垂直片３ｂ２を設け、中央付近に凸円弧状の支点部３ｂ３からなる係止金具３ｂを設け、この係止金具３ｂの先端３ｂ１を常に上方に押し上げるべくバネ片３ｃを設けると共に、支点部３ｂ３を挟持支持すべく凸円弧状の凸支持部３ｄ及び凹円弧状の凹支持部３ｅを設けシーソー状に形成してなるもので、側方へ移動（引き出す）するためのピン穴３ｆを穿設してある。
なお、垂直片３ｂ２に対応（引き抜き防止）する垂直面３ｇを形成してある。
また、ケース本体２には商品ケースを押し出し易くするための孔２ｄを設けてある。
【０００７】
本発明の解錠装置を図面に基づいて詳細に説明する。
解錠装置４は、底面及び一側面を開口する挿入溝４ａ１を形成してなる本体４ａの両側前方及び上部中央付近に磁石４ｂ・４ｂ１を合計３箇所設けると共に、挿入溝４ａ１の上面前方に、前記ピン穴３ｆに差し込むピン４ｃを突設してなるものである。
なお、使用時（解錠時）において、磁石４ｂは係止金具３ｂの前部両側下方に位置すると共に、磁石４ｂ１は係止金具３ｂの後部上方に位置するものである。
【０００８】
つづいて、上記防犯ケース１を解錠装置４にて解錠する手順を図面に基づいて詳細に説明する。
まず、予め商品ケースＳを装着してなる防犯ケース１の係止体３の上方より解錠装置４の挿入溝４ａ１を挿入し、ピン４ｃをピン穴３ｆに挿入する。
この時、両側の磁石４ｂにて係止金具３ｂの先端３ｂ１を下げることにより、係止溝２ｂより外れると同時に、上部の磁石４ｂ１にて後部を引き上げてなる。
なお、バネ片３ｃは下方に押しやられている。
また、係止金具３ｂは支点部３ｂ３を中心にしてシーソー状に作動するものである。
【０００９】
この状態で、側方に係止体３を移動させることができ、上部係止板３ａが商品ケースＳから外れ、孔２ｄから指（図示せず）を入れ、商品ケースＳを取り出すことができるものである。
なお、再度使用する場合は、商品ケースＳを入れ、係止体３を押し込むことで係止金具３ｂの先端３ｂ１が係止溝２ｂに自動的に入り込み、ロック状態となる。
また、解錠装置４を使用せず、無理矢理引き抜こうとしても先端３ｂ１が係止溝２ｂに係止されると共に、垂直面３ｇに垂直片３ｂ２が当接し、引き抜きを防止することができる。
【００１０】
つぎに、他の防犯ケースについて図面に基づいて詳細に説明する。
この防犯ケース２１は、前記防犯ケース１における切り欠き部２ｃ及びピン穴３ｆを削除し、代わりに係止体２３内に、係止金具２３ｂの先端２３ｂ１を引き付けるための解除用鉄片５を設けると共に、その近傍位置に係止体２３を引き抜くための引抜用鉄片６を設けてなるものである。
【００１１】
上記防犯ケース２１に使用する解錠装置２４は、係止金具２３ｂの前方及び後方上部に同時に近づけるべく、Ｌ字型の鉄板２４ｃの内側両端部にバー型の磁石２４ａ・２４ｂを設けてなるもので、係止金具２３ｂと解除用鉄片５と引抜用鉄片６とで閉回路を形成するものであり、合成樹脂（不透明な）等によるケース本体２４ｄ内に埋設してある。
【００１２】
つづいて、上記防犯ケース２１と解錠装置２４の使用例について下記に述べる。
防犯ケース１１の係止体２３の上方より解錠装置２４を近づけることにより、鉄板２４ｃ、磁石２４ａ・２４ｂにより係止金具２３ｂと解除用鉄片５と引抜用鉄片６が磁化され、閉回路Ｈを形成し、係止金具２３ｂの後部を磁石２３ｂにて引き上げ、係止金具２３ｂの先端２３ｂ１が解除用鉄片５に引き付けられ当接（この時、カチッと音が出る）し、先端２３ｂ１が係止溝２２ｂより外れると同時に磁石２３ａにて引抜用鉄片６が引き付けられ、簡単容易に係止体２３を取り外すことができるものである。
【００１３】
なお、解除用鉄片５と引抜用鉄片６を一体に設けるのも一考である。
また、解錠装置２４の横幅を広げて（磁石も大きくする）、一度に複数個の防犯ケース１１の解錠を行うことができるようにしてもよい。
【００１４】
なお、上記実施例において、係止金具は鉄製とし、その他は合成樹脂製とし、特に係止体は不透明とするのが望ましい。
また、係止金具はシーソー状に形成できるのであれば、上記形態に限定しない。
【００１５】
【発明の効果】
１）、係止金具をシーソー状に形成し、前部及び後部上方に磁石を同時に近づけることのみで解錠でき、防犯効果が非常に高いものである。
２）、バネ片にて常時上方に押し上げているため、係止金具の先端が係止溝より外れることがない。
３）、解錠装置を使用せず、無理に引き抜こうとしても垂直面に垂直片が当接し、引き抜きを防止することができる。
４）、解錠装置が、両側及び上部に合計３つの磁石を設けると共に、ピンを突設するという特殊構造により、確実に係止体を解錠できる。
５）、解除用鉄片及び引抜用鉄片を使用することにより、解錠磁石にて磁化させ、係止金具の先端を作業者のみ簡単容易に解錠できる。
６）、解錠装置がＬ字型鉄板と磁石の組み合せにより、使用時閉回路を形成できるため、より強力な磁力を得ることができる。
７）、係止体が磁力のみで防犯ケースより取り外しすることができ、スピーディーである。
８）、解錠時に、係止金具の先端が解除用鉄片に当り、カチッと音がすることにより解錠を確認できる。
９）、解錠装置の幅（Ｌ字型の鉄板及び磁石）を大きくすることにより、同時に複数の防犯ケースの解除ができる。
【図面の簡単な説明】
【図１】本発明の第１実施例を示す防犯ケースの一部縦断正面図。
【図２】本発明の第１実施例を示す防犯ケースの側面図。
【図３】本発明の第１実施例を示す防犯ケースの平面図。
【図４】本発明の第１実施例を示す防犯ケースの斜視図。
【図５】本発明の第１実施例を示す解錠装置の底面図。
【図６】本発明の第１実施例を示す解錠装置の側面図。
【図７】本発明の第１実施例を示す防犯ケースの解錠装置を使用しての解錠状態を示す一部を省略してなる正面図。
【図８】本発明の第１実施例を示す防犯ケースの解錠装置を使用しての解錠状態を示す一部を省略してなる側面図。
【図９】本発明の第１実施例を示す防犯ケースの解錠装置を使用しての係止体を側方に移動させた状態の正面図。
【図１０】本発明の第２実施例を示す防犯ケースの一部縦断正面図。
【図１１】本発明の第２実施例を示す解錠装置の正面図。
【図１２】本発明の第２実施例を示す解錠装置の平面図。
【図１３】本発明の第２実施例を示す防犯ケースの解錠装置を使用しての解錠状態を示す一部を省略してなる側面図。
【図１４】本発明の第２実施例を示す防犯ケースの解錠装置を使用しての係止体を側方に移動させた状態の正面図。
【符号の説明】
１−−−防犯ケース
２−−−ケース本体
３−−−係止体
４−−−解錠装置
５−−−解除用鉄片
６−−−引抜用鉄片
Ｓ−−−商品ケース
【図１】
2004359338.tif 000003
【図２】
2004359338.tif 000004
【図３】
2004359338.tif 000005
【図４】
2004359338.tif 000006
【図５】
2004359338.tif 000007
【図６】
2004359338.tif 000008
【図７】
2004359338.tif 000009
【図８】
2004359338.tif 000010
【図９】
2004359338.tif 000011
【図１０】
2004359338.tif 000012
【図１１】
2004359338.tif 000013
【図１２】
2004359338.tif 000014
【図１３】
2004359338.tif 000015
【図１４】
2004359338.tif 000016